(57)【要約】【課題】番組情報を秘密管理された個人情報として格納する。【解決手段】ＨＤＤレコーダのＭＰＵ１１は、リモコン３を介してユーザからの予め設定された特定の操作入力が受け付けられた場合に、特定録画情報を付与して番組情報記憶部１９１に番組情報を格納する特定録画実行部１１２と、リモコン３を介してユーザからの一覧表を表示する旨の操作入力が受け付けられた場合に、番組情報記憶部１９１に格納された番組情報の一覧表をディスプレイ２１に表示する録画リスト表示部１１３と、リモコン３を介してユーザから受け付けられた操作入力に基づいて、一覧表に表示された番組情報の中から１の番組情報を選択して再生し、ディスプレイ２１に表示する再生実行部１１４と、録画リスト表示部１１３に対して、特定録画情報が付与された番組情報について、一覧表への表示を禁止する表示禁止部１１５と、を備えている。【選択図】図３
2008211648.tif 000002
【特許請求の範囲】
【請求項１】
複数のキーが配設され、操作入力を受け付けるリモートコントローラと通信可能に接続され、テレビジョン放送を受信し、受信した番組情報をＨＤＤに格納すると共に、格納された番組情報を再生してモニタに表示するＨＤＤレコーダであって、
外部からの予め設定された特定の操作入力を受け付け、前記特定の操作入力が受け付けられた場合に、前記特定の操作入力による録画である旨の情報である特定録画情報を付与して、前記ＨＤＤに番組情報を格納する特定録画実行手段と、
外部からの番組情報の一覧表を表示する旨の操作入力を受け付けて、番組情報の一覧表を表示する旨の操作入力が受け付けられた場合に、前記ＨＤＤに格納された番組情報の一覧表を表示する録画リスト表示手段と、
外部からの操作入力を受け付け、受け付けられた操作入力に基づいて、前記一覧表に表示された番組情報の中から１の番組情報を選択して再生し、モニタに表示する再生実行手段と、
前記録画リスト表示手段に対して、前記特定録画情報が付与された番組情報について、前記一覧表への表示を禁止する表示禁止手段と、
予め設定された個人を識別する情報である個人識別情報を格納する識別情報記憶手段と、
外部から個人識別情報の入力を受け付け、受け付けられた個人識別情報が識別情報記憶手段に格納された個人識別情報と一致するか否かを判定する判定手段と、
前記判定手段によって一致すると判定された場合に、前記表示禁止手段に対して、前記一覧表への表示の禁止を解除する禁止解除手段と、
を備え、
前記特定の操作入力は、前記リモートコントローラでの、録画を指示する場合に押下される録画キーと、予め設定された他のキーと、を同時に押下する操作入力であり、
前記表示禁止手段は、前記禁止解除手段によって前記一覧表への表示の禁止が解除され、前記再生実行手段によって前記特定録画情報が付与された番組情報の再生が終了した場合に、再度、前記一覧表への表示を禁止することを特徴とするＨＤＤレコーダ。
【請求項２】
テレビジョン放送を受信し、受信した番組情報を記録媒体に格納すると共に、格納された番組情報を再生してモニタに表示する放送記録再生装置であって、
外部からの予め設定された特定の操作入力を受け付け、前記特定の操作入力が受け付けられた場合に、前記特定の操作入力による録画である旨の情報である特定録画情報を付与して、前記記録媒体に番組情報を格納する特定録画実行手段と、
外部からの番組情報の一覧表を表示する旨の操作入力を受け付けて、番組情報の一覧表を表示する旨の操作入力が受け付けられた場合に、前記記録媒体に格納された番組情報の一覧表を表示する録画リスト表示手段と、
外部からの操作入力を受け付け、受け付けられた操作入力に基づいて、前記一覧表に表示された番組情報の中から１の番組情報を選択して再生し、モニタに表示する再生実行手段と、
前記録画リスト表示手段に対して、前記特定録画情報が付与された番組情報について、前記一覧表への表示を禁止する表示禁止手段と、
を備えることを特徴とする放送記録再生装置。
【請求項３】
複数のキーが配設され、操作入力を受け付けるリモートコントローラと通信可能に接続され、
前記特定の操作入力は、前記リモートコントローラでの、録画を指示する場合に押下される録画キーと、予め設定された他のキーと、を同時に押下する操作入力であることを特徴とする請求項２に記載の放送記録再生装置。
【請求項４】
予め設定された個人を識別する情報である個人識別情報を格納する識別情報記憶手段と、
外部から個人識別情報の入力を受け付け、受け付けられた個人識別情報が識別情報記憶手段に格納された個人識別情報と一致するか否かを判定する判定手段と、
前記判定手段によって一致すると判定された場合に、前記表示禁止手段に対して、前記一覧表への表示の禁止を解除する禁止解除手段と、
を備えることを特徴とする請求項２又は請求項３に記載の放送記録再生装置。
【請求項５】
前記表示禁止手段は、前記禁止解除手段によって前記一覧表への表示の禁止が解除され、前記再生実行手段によって前記特定録画情報が付与された番組情報の再生が終了した場合に、再度、前記一覧表への表示を禁止することを特徴とする請求項４に記載の放送記録再生装置。
【発明の詳細な説明】
【技術分野】
【０００１】
本発明は、テレビジョン放送を受信し、受信した番組情報を記録媒体に格納すると共に、格納された番組情報を再生してモニタに表示する放送記録再生装置に関する。特に、複数のキーが配設され、操作入力を受け付けるリモートコントローラと通信可能に接続され、テレビジョン放送を受信し、受信した番組情報をＨＤＤに格納すると共に、格納された番組情報を再生してモニタに表示するＨＤＤレコーダに関する。
【背景技術】
【０００２】
近年、一般家庭用のビデオテープレコーダに代えて、ＨＤＤ（Ｈａｒｄ  Ｄｉｓｋ  Ｄｒｉｖｅ）を記録媒体とするＨＤＤレコーダ等の大容量の放送記録再生装置が普及しつつある。このような大容量の放送記録再生装置においても、個人が記録した番組情報を、何らかの方法によって秘密管理された個人情報とする（例えば、他の人が視聴できないようにする）ことが求められている。
【０００３】
上記要求を満たすべく、種々の装置、方法が提案されている。例えば、個人モードで録画された映像情報には、それぞれパスワードとして任意の暗証番号が付与され、操作キーによって任意の暗証番号を入力すると、入力された暗証番号が付された映像情報のみが再生可能となるＨＤＤレコーダが開示されている（特許文献１参照）。
【特許文献１】特開２００３−１７４６０６号公報
【発明の開示】
【発明が解決しようとする課題】
【０００４】
しかしながら、上記ＨＤＤレコーダにおいては、個人モードで録画された映像情報は視聴が制限されるものの、ＨＤＤに格納された全ての番組情報が録画リストに表示されるため、個人モードで録画された映像情報の秘匿化が充分ではない場合がある。また、個人モードで録画された映像情報が、他の人によって消去される場合もあり、秘密管理された個人情報としての保護が充分ではない場合がある。
【０００５】
本発明は、上記課題に鑑みてなされたものであって、番組情報を秘密管理された個人情報として格納することの可能な放送記録再生装置及びＨＤＤレコーダを提供することを目的としている。
【課題を解決するための手段】
【０００６】
上記目的を達成するために請求項１に記載のＨＤＤレコーダは、複数のキーが配設され、操作入力を受け付けるリモートコントローラと通信可能に接続され、テレビジョン放送を受信し、受信した番組情報をＨＤＤに格納すると共に、格納された番組情報を再生してモニタに表示するＨＤＤレコーダであって、外部からの予め設定された特定の操作入力を受け付け、前記特定の操作入力が受け付けられた場合に、前記特定の操作入力による録画である旨の情報である特定録画情報を付与して、前記ＨＤＤに番組情報を格納する特定録画実行手段と、外部からの番組情報の一覧表を表示する旨の操作入力を受け付けて、番組情報の一覧表を表示する旨の操作入力が受け付けられた場合に、前記ＨＤＤに格納された番組情報の一覧表を表示する録画リスト表示手段と、外部からの操作入力を受け付け、受け付けられた操作入力に基づいて、前記一覧表に表示された番組情報の中から１の番組情報を選択して再生し、モニタに表示する再生実行手段と、前記録画リスト表示手段に対して、前記特定録画情報が付与された番組情報について、前記一覧表への表示を禁止する表示禁止手段と、予め設定された個人を識別する情報である個人識別情報を格納する識別情報記憶手段と、外部から個人識別情報の入力を受け付け、受け付けられた個人識別情報が識別情報記憶手段に格納された個人識別情報と一致するか否かを判定する判定手段と、前記判定手段によって一致すると判定された場合に、前記表示禁止手段に対して、前記一覧表への表示の禁止を解除する禁止解除手段と、を備え、前記特定の操作入力が、前記リモートコントローラでの、録画を指示する場合に押下される録画キーと、予め設定された他のキーと、を同時に押下する操作入力であり、前記表示禁止手段が、前記禁止解除手段によって前記一覧表への表示の禁止が解除され、前記再生実行手段によって前記特定録画情報が付与された番組情報の再生が終了した場合に、再度、前記一覧表への表示を禁止することを特徴としている。
【０００７】
請求項２に記載の放送記録再生装置は、テレビジョン放送を受信し、受信した番組情報を記録媒体に格納すると共に、格納された番組情報を再生してモニタに表示する放送記録再生装置であって、外部からの予め設定された特定の操作入力を受け付け、前記特定の操作入力が受け付けられた場合に、前記特定の操作入力による録画である旨の情報である特定録画情報を付与して、前記記録媒体に番組情報を格納する特定録画実行手段と、外部からの番組情報の一覧表を表示する旨の操作入力を受け付けて、番組情報の一覧表を表示する旨の操作入力が受け付けられた場合に、前記記録媒体に格納された番組情報の一覧表を表示する録画リスト表示手段と、外部からの操作入力を受け付け、受け付けられた操作入力に基づいて、前記一覧表に表示された番組情報の中から１の番組情報を選択して再生し、モニタに表示する再生実行手段と、前記録画リスト表示手段に対して、前記特定録画情報が付与された番組情報について、前記一覧表への表示を禁止する表示禁止手段と、を備えることを特徴としている。
【０００８】
請求項３に記載の放送記録再生装置は、請求項２に記載の放送記録再生装置であって、複数のキーが配設され、操作入力を受け付けるリモートコントローラと通信可能に接続され、前記特定の操作入力が、前記リモートコントローラでの、録画を指示する場合に押下される録画キーと、予め設定された他のキーと、を同時に押下する操作入力であることを特徴としている。
【０００９】
請求項４に記載の放送記録再生装置は、請求項２又は請求項３に記載の放送記録再生装置であって、予め設定された個人を識別する情報である個人識別情報を格納する識別情報記憶手段と、外部から個人識別情報の入力を受け付け、受け付けられた個人識別情報が識別情報記憶手段に格納された個人識別情報と一致するか否かを判定する判定手段と、前記判定手段によって一致すると判定された場合に、前記表示禁止手段に対して、前記一覧表への表示の禁止を解除する禁止解除手段と、を備えることを特徴としている。
【００１０】
請求項５に記載の放送記録再生装置は、請求項４に記載の放送記録再生装置であって、前記表示禁止手段が、前記禁止解除手段によって前記一覧表への表示の禁止が解除され、前記再生実行手段によって前記特定録画情報が付与された番組情報の再生が終了した場合に、再度、前記一覧表への表示を禁止することを特徴としている。
【発明の効果】
【００１１】
請求項１に記載のＨＤＤレコーダによれば、外部からの予め設定された特定の操作入力が受け付けられ、特定の操作入力が受け付けられた場合に、特定の操作入力による録画である旨の情報である特定録画情報が付与されて、ＨＤＤに番組情報が格納される。そして、外部からの番組情報の一覧表を表示する旨の操作入力が受け付けられて、番組情報の一覧表を表示する旨の操作入力が受け付けられた場合に、ＨＤＤに格納された番組情報の一覧表が表示される。また、外部からの操作入力が受け付けられ、受け付けられた操作入力に基づいて、一覧表に表示された番組情報の中から１の番組情報が選択されて再生され、モニタに表示される。ただし、特定録画情報が付与された番組情報については、一覧表への表示が禁止されるため、番組情報を秘密管理された個人情報として格納することができる。
【００１２】
すなわち、特定の操作入力が受け付けられた場合に、特定録画情報が付与されて、ＨＤＤに番組情報が格納され、特定録画情報が付与された番組情報については、ＨＤＤに格納された番組情報の一覧表への表示が禁止されるため、特定録画情報が付与された番組情報については、ＨＤＤに格納されていることさえ知ることができないので、視聴することも消去することもできず、番組情報を秘密管理された個人情報として格納することができるのである。
【００１３】
また、特定の操作入力が、リモートコントローラでの、録画を指示する場合に押下される録画キーと、予め設定された他のキー（例えば、テンキーの内、いずれか１のキー）と、を同時に押下する操作入力であるため、簡便な操作で番組情報を秘密管理された個人情報として格納することができると共に、誤操作等によって番組情報が秘密管理された個人情報とされることを防止することができる。
【００１４】
更に、予め設定された個人を識別する情報である個人識別情報が識別情報記憶手段に格納されており、外部から個人識別情報の入力が受け付けられ、受け付けられた個人識別情報が識別情報記憶手段に格納された個人識別情報と一致するか否かが判定される。そして、一致すると判定された場合に、一覧表への表示の禁止が解除されるため、番組情報を秘密管理された個人情報として格納することができる。
【００１５】
すなわち、受け付けられた個人識別情報が識別情報記憶手段に格納された個人識別情報と一致すると判定された場合に、一覧表への表示の禁止が解除されるため、特定録画情報が付与された番組情報をＨＤＤに格納したユーザが、個人識別情報を入力することによって、特定録画情報が付与された番組情報を視聴、編集等の利用をすることができるので、番組情報を秘密管理された個人情報として格納することができるのである。
【００１６】
加えて、一覧表への表示の禁止が解除されて、特定録画情報が付与された番組情報の再生が終了した場合に、再度、一覧表への表示が禁止されるため、番組情報を更に確実に秘密管理された個人情報として格納することができる。
【００１７】
すなわち、一覧表への表示の禁止が解除された場合であっても、特定録画情報が付与された番組情報の再生が終了した場合には、再度、一覧表への表示が禁止されるため、ユーザが一覧表への表示を禁止することを忘れている場合であっても、特定録画情報が付与された番組情報が一覧表に表示されることを確実に防止することができるので、番組情報を更に確実に秘密管理された個人情報として格納することができるのである。
【００１８】
請求項２に記載の放送記録再生装置によれば、外部からの予め設定された特定の操作入力が受け付けられ、特定の操作入力が受け付けられた場合に、特定の操作入力による録画である旨の情報である特定録画情報が付与されて、記録媒体に番組情報が格納される。そして、外部からの番組情報の一覧表を表示する旨の操作入力が受け付けられて、番組情報の一覧表を表示する旨の操作入力が受け付けられた場合に、記録媒体に格納された番組情報の一覧表が表示される。また、外部からの操作入力が受け付けられ、受け付けられた操作入力に基づいて、一覧表に表示された番組情報の中から１の番組情報が選択されて再生され、モニタに表示される。ただし、特定録画情報が付与された番組情報については、一覧表への表示が禁止されるため、番組情報を秘密管理された個人情報として格納することができる。
【００１９】
すなわち、特定の操作入力が受け付けられた場合に、特定録画情報が付与されて、記録媒体に番組情報が格納され、特定録画情報が付与された番組情報については、記録媒体に格納された番組情報の一覧表への表示が禁止されるため、特定録画情報が付与された番組情報については、記録媒体に格納されていることさえ知ることができないので、視聴することも消去することもできず、番組情報を秘密管理された個人情報として格納することができるのである。
【００２０】
請求項３に記載の放送記録再生装置によれば、特定の操作入力が、リモートコントローラでの、録画を指示する場合に押下される録画キーと、予め設定された他のキー（例えば、テンキーの内、いずれか１のキー）と、を同時に押下する操作入力であるため、簡便な操作で番組情報を秘密管理された個人情報として格納することができると共に、誤操作等によって番組情報が秘密管理された個人情報とされることを防止することができる。
【００２１】
請求項４に記載の放送記録再生装置によれば、予め設定された個人を識別する情報である個人識別情報が識別情報記憶手段に格納されており、外部から個人識別情報の入力が受け付けられ、受け付けられた個人識別情報が識別情報記憶手段に格納された個人識別情報と一致するか否かが判定される。そして、一致すると判定された場合に、一覧表への表示の禁止が解除されるため、番組情報を秘密管理された個人情報として格納することができる。
【００２２】
すなわち、受け付けられた個人識別情報が識別情報記憶手段に格納された個人識別情報と一致すると判定された場合に、一覧表への表示の禁止が解除されるため、特定録画情報が付与された番組情報を記録媒体に格納したユーザが、個人識別情報を入力することによって、特定録画情報が付与された番組情報を視聴、編集等の利用をすることができるので、番組情報を秘密管理された個人情報として格納することができるのである。
【００２３】
請求項５に記載の放送記録再生装置によれば、一覧表への表示の禁止が解除されて、特定録画情報が付与された番組情報の再生が終了した場合に、再度、一覧表への表示が禁止されるため、番組情報を更に確実に秘密管理された個人情報として格納することができる。
【００２４】
すなわち、一覧表への表示の禁止が解除された場合であっても、特定録画情報が付与された番組情報の再生が終了した場合には、再度、一覧表への表示が禁止されるため、ユーザが一覧表への表示を禁止することを忘れている場合であっても、特定録画情報が付与された番組情報が一覧表に表示されることを確実に防止することができるので、番組情報を更に確実に秘密管理された個人情報として格納することができるのである。
【発明を実施するための最良の形態】
【００２５】
以下に本発明の実施形態を、図面を参照しながら説明する。図１は、本発明に係るＨＤＤレコーダの構成の一例を示すブロック図である。ＨＤＤレコーダ１（放送記録再生装置に相当する）は、出力装置２と通信可能に接続されると共に、リモートコントローラ（＝Ｒｅｍｏｔｅｃｏｎｔｒｏｌｌｅｒ：以下、「リモコン」という）３と赤外線通信を介して通信可能に接続されている。
【００２６】
ＨＤＤレコーダ１は、リモコン３を介してユーザからの操作入力を受け付けて、受け付けた操作入力に基づいて、テレビジョン放送を受信し、受信した番組情報を格納するものである。また、ＨＤＤレコーダ１は、格納された番組情報を読み出して再生し、出力装置２に対して映像及び音声を出力するものである。
【００２７】
出力装置２は、ディスプレイ２１及びスピーカ２２を備え、ＨＤＤレコーダ１から入力された音声情報及び映像情報を出力するものである。ディスプレイ２１（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等を備え、ＨＤＤレコーダ１から入力された映像情報を外部から視認可能に表示するものである。スピーカ２２は、ＨＤＤレコーダ１から入力された音声情報を出力するものである。
【００２８】
リモコン３（特定録画実行手段の一部、録画リスト表示手段の一部、再生実行手段の一部、判定手段の一部に相当する）は、複数のキーを備え、ユーザからの操作入力を受け付けて、受け付けられた操作入力に対応する赤外線信号を生成して、ＨＤＤレコーダ１に対して出力するものである（図２参照）。
【００２９】
また、ＨＤＤレコーダ１は、ＭＰＵ１１、ＲＡＭ１２、ＲＯＭ１３、操作部１４、受信部１５、音声出力部１６、ＭＰＥＧ２デコード部１７、画像出力部１８、及び、ＨＤＤ１９を備えている。
【００３０】
ＭＰＵ（Ｍｉｃｒｏ  Ｐｒｏｃｅｓｓｉｎｇ  Ｕｎｉｔ）１１は、ＨＤＤレコーダ１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００３１】
操作部１４は、電源のＯＮ、ＯＦＦ操作、選局等の各種操作を受け付けるものである。また、操作部１４は、赤外線通信を介して、リモコン３からの操作信号を受け付けて、各種操作を受け付けるものである。受信部１５（特定録画実行手段の一部）は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００３２】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００３３】
音声出力部１６は、受信部１５によって受信されたテレビジョン放送に対応する音声信号をスピーカ２２に対して出力するものであって、Ｄ／Ａ変換部１６１、及び、音声信号出力部１６２を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号をスピーカ２２に対して出力するものである。
【００３４】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された映像情報を圧縮前の映像情報に復号化するものである。
【００３５】
画像出力部１８は、ＭＰＥＧ２デコード部１７によって復号化された映像信号をディスプレイ２１に対して出力するものであって、ＮＴＳＣエンコード部１８１、及び、映像信号出力部１８２を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された映像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ２１に対して出力するものである。
【００３６】
ＨＤＤ（Ｈａｒｄ  Ｄｉｓｋ  Ｄｒｉｖｅ）１９（記録媒体に相当する）は、ＭＰＵ１１からの指示に従って映像情報、音声情報等の種々の情報を格納するものである。
【００３７】
次に、ＨＤＤレコーダ１が放送を受信する場合の動作について説明する。まず、送信されてきたデジタル放送波がアンテナ部１５１で受信される。リモコン３（又は、操作部１４）を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００３８】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等を含み、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ２２から音声が出力される。
【００３９】
また、ＲＡＭ１２から読み出された映像情報がＭＰＥＧ２デコード部１７によって圧縮前の映像情報に復号化され、ＮＴＳＣエンコード部１８１によってＮＴＳＣ方式のテレビジョン信号に変換されて、映像信号出力部１８２を介してディスプレイ２１に映像が表示される。
【００４０】
図２は、リモコン３の外観の一例を示す正面図である。リモコン３は、テンキー３１、メニューキー３２、録画キー３３、プレイキー３４、及び、ストップキー３５を備えている。テンキー３１は、０〜９の数字を入力する場合に押下されるキーである。ここでは、後述するように、数字の「７」に対応するテンキー３１１が、特定録画を行う場合の操作入力（＝特定の操作入力）に用いられる。
【００４１】
メニューキー３２は、後述する判定部１１６によって行われる個人認証を含む各種設定等を行う際にディスプレイ２１に表示されるメニュー画面を表示する場合に押下されるキーである。録画キー３３は、番組情報を録画する場合に押下されるキーである。プレイキー３４は、メニュー画面を介して選択された番組情報を再生する場合に押下されるキーである。ストップキー３５は、録画及び再生動作を終了する場合に押下されるキーである。
【００４２】
図３は、本発明に係るＨＤＤレコーダ１における主要部の構成の一例を示す機能構成図である。ＭＰＵ１１は、機能的に、通常録画実行部１１１、特定録画実行部１１２、録画リスト表示部１１３、再生実行部１１４、表示禁止部１１５、判定部１１６、及び、禁止解除部１１７を備え、ＨＤＤ１９は、機能的に、番組情報記憶部１９１、及び、識別情報記憶部１９２を備えている。
【００４３】
ここでは、ＭＰＵ１１が、図１に示すＲＯＭ１３等に予め格納された制御プログラムを読み出して実行することにより、通常録画実行部１１１、特定録画実行部１１２、録画リスト表示部１１３、再生実行部１１４、表示禁止部１１５、判定部１１６、禁止解除部１１７等の機能部として機能すると共に、ＨＤＤ１９を、番組情報記憶部１９１、識別情報記憶部１９２等の機能部として機能させるものである。
【００４４】
また、図１に示すＲＡＭ１２及びＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）、半導体メモリ等である。
【００４５】
番組情報記憶部１９１は、受信部１５によって受信された番組情報を格納するものである。なお、番組情報記憶部１９１の番組情報は、通常録画実行部１１１及び特定録画実行部１１２によって格納されるものであって、特定録画実行部１１２によって格納される場合には、特定の操作入力による録画である旨の情報である特定録画情報（例えば、特定録画フラグ）が付与された番組情報が格納されるものである。
【００４６】
識別情報記憶部１９２（識別情報記憶手段に相当する）は、予め設定された個人を識別する情報である個人識別情報を格納するものである。個人識別情報は、例えば、４桁の暗証番号情報である。
【００４７】
通常録画実行部１１１は、リモコン３を介して、ユーザからの操作入力を受け付けて、受け付けた操作入力に基づいて、受信部１５を介して受信された番組情報を番組情報記憶部１９１に格納するものである。
【００４８】
具体的には、通常録画実行部１１１は、例えば、図２に示すリモコン３の録画キー３３が押下された場合、又は、図２に示すメニューキー３２が押下されて表示されたメニュー画面を介して、予約録画（ＥＰＧ（Ｅｌｅｃｔｒｏｎｉｃ  Ｐｒｏｇｒａｍ  Ｇｕｉｄｅ）を介して選択された番組の録画、又は、チャンネル番号、開始日時及び終了日時を指定して行う録画）が設定された場合に、受信部１５を介して受信された番組情報を番組情報記憶部１９１に格納するものである。
【００４９】
特定録画実行部１１２（特定録画実行手段の一部に相当する）は、リモコンを介してユーザからの予め設定された特定の操作入力を受け付け、特定の操作入力が受け付けられた場合に、特定の操作入力による録画である旨の情報である特定録画情報（ここでは、特定録画フラグ）を付与して、番組情報記憶部１９１に番組情報を格納するものである。
【００５０】
具体的には、特定録画実行部１１２は、例えば、図２に示すリモコン３の録画キー３３及びテンキー３１１が同時に押下された場合、又は、図２に示すメニューキー３２が押下されて表示されたメニュー画面を介して、特定予約録画（＝判定部１１６によって個人認証が成功した場合にのみ実行可能となる予約録画）が設定された場合に、受信部１５を介して受信された番組情報を、特定録画情報（ここでは、特定録画フラグ）を付与して、番組情報記憶部１９１に格納するものである。
【００５１】
録画リスト表示部１１３（録画リスト表示手段の一部に相当する）は、リモコン３を介して、ユーザからの番組情報の一覧表を表示する旨の操作入力を受け付けて、番組情報の一覧表を表示する旨の操作入力が受け付けられた場合に、番組情報記憶部１９１に格納された番組情報の一覧表をディスプレイ２１に表示するものである。
【００５２】
具体的には、録画リスト表示部１１３は、リモコン３を介して、図２に示すメニューキー３２が押下されて表示されたメニュー画面を介して、録画リスト（＝番組情報の一覧表）を表示する旨の操作入力が受け付けられた場合に、番組情報記憶部１９１に格納された番組情報の一覧表（例えば、録画日時、番組名等を含む一覧表）をディスプレイ２１に表示するものである。
【００５３】
また、録画リスト表示部１１３は、表示禁止部１１５によって、特定録画情報（ここでは、特定録画フラグ）が付与された番組情報の表示が禁止されている場合には、特定録画情報が付与された番組情報（例えば、録画日時、番組名等）を一覧表に表示しないものである。
【００５４】
再生実行部１１４（再生実行手段の一部に相当する）は、リモコン３を介して、ユーザからの操作入力を受け付け、受け付けられた操作入力に基づいて、録画リスト表示部１１３によってディスプレイ２１に一覧表として表示された番組情報の中から１の番組情報を選択して再生し、ディスプレイ２１に表示するものである。
【００５５】
なお、表示禁止部１１５によって、特定録画情報（ここでは、特定録画フラグ）が付与された番組情報の表示が禁止されている場合には、特定録画情報が付与された番組情報（例えば、録画日時、番組名等）が一覧表に表示されないため、ユーザは、特定録画情報が付与された番組情報を選択して再生することはできない。
【００５６】
表示禁止部１１５（表示禁止手段に相当する）は、録画リスト表示部１１３に対して、特定録画情報が付与された番組情報について、一覧表への表示を禁止するものである。ただし、表示禁止部１１５は、禁止解除部１１７によって、一覧表への表示の禁止が解除されている場合には、録画リスト表示部１１３に対して、特定録画情報が付与された番組情報について、一覧表への表示の禁止を解除する（＝表示可能とする）ものである。
【００５７】
また、表示禁止部１１５は、禁止解除部１１７によって一覧表への表示の禁止が解除され、再生実行部１１４によって特定録画情報が付与された番組情報の再生が終了した場合に、再度、特定録画情報が付与された番組情報について一覧表への表示を禁止するものである。
【００５８】
判定部１１６（判定手段の一部に相当する）は、リモコン３を介して、ユーザから個人識別情報（ここでは、図３に示すテンキー３１を介して入力される暗証番号情報）の入力を受け付け、受け付けられた個人識別情報が識別情報記憶部１９２に格納された個人識別情報と一致するか否かを判定するものである。具体的には、判定部１１６は、図２に示すメニューキー３２が押下されて表示されたメニュー画面を介して、暗証番号情報の入力を受け付けるものである。
【００５９】
禁止解除部１１７（禁止解除手段に相当する）は、判定部１１６によって一致すると判定された場合に、表示禁止部１１５に対して、特定録画情報が付与された番組情報について、一覧表への表示の禁止を解除する（＝表示を可能とする）ものである。
【００６０】
図４は、ＨＤＤレコーダ１（主にＭＰＵ１１）の録画動作の一例を示すフローチャートである。なお、ここでは、便宜上、録画キー３３の押下によって録画を行う場合（＝予約録画ではない場合）について説明する。まず、通常録画実行部１１１によって、リモコン３の録画キー３３が押下されたか否かの判定が行われる（Ｓ１０１）。録画キー３３が押下されていないと判定された場合（Ｓ１０１でＮＯ）には、処理が待機状態とされる。録画キー３３が押下されたと判定された場合（Ｓ１０１でＹＥＳ）には、特定録画実行部１１２によって、テンキー３１１が録画キー３３と同時に押下されたか否か（＝特定の操作入力が受け付けられたか否か）の判定が行われる（Ｓ１０３）。
【００６１】
テンキー３１１が同時に押下されていないと判定された場合（Ｓ１０３でＮＯ）には、処理がステップＳ１０７に進められる。テンキー３１１が同時に押下されたと判定された場合（Ｓ１０３でＮＯ）には、特定録画実行部１１２によって、特定録画情報（ここでは、特定録画フラグ）が付与される（Ｓ１０５）。ステップＳ１０３でＮＯの場合、又は、ステップＳ１０５の処理が終了した場合には、通常録画実行部１１１又は特定録画実行部１１２によって、番組情報記憶部１９１に番組情報が格納される（Ｓ１０７）。
【００６２】
そして、通常録画実行部１１１又は特定録画実行部１１２によって、リモコン３のストップキー３５が押下されたか否か（＝録画終了操作が行われたか否か）が判定される（Ｓ１０９）。ストップキー３５が押下されていないと判定された場合（Ｓ１０９でＮＯ）の場合には、処理がステップＳ１０７に戻され、ステップＳ１０７以降の処理が繰り返し実行される。ストップキー３５が押下されたと判定された場合（Ｓ１０９でＹＥＳ）の場合には、処理が終了される。
【００６３】
図５は、ＨＤＤレコーダ１（主にＭＰＵ１１）の再生動作の一例を示すフローチャートである。まず、判定部１１６によって暗証番号が受け付けられたか否かの判定が行われる（Ｓ２０１）。暗証番号が受け付けられていないと判定された場合（Ｓ２０１でＮＯ）には、処理がステップＳ２１９に進められる。暗証番号が受け付けられたと判定された場合（Ｓ２０１でＹＥＳ）には、判定部１１６によって、受け付けられた暗証番号が識別情報記憶部１９２に格納された暗証番号と一致するか否かの判定が行われる（Ｓ２０３）。
【００６４】
識別情報記憶部１９２に格納された暗証番号と一致しないと判定された場合（Ｓ２０３でＮＯ）には、処理がステップＳ２１９に進められる。識別情報記憶部１９２に格納された暗証番号と一致すると判定された場合（Ｓ２０３でＹＥＳ）には、禁止解除部１１７によって、特定録画情報が付与された番組情報について、一覧表への表示の禁止が解除される（Ｓ２０７）。そして、録画リスト表示部１１３によって、録画リストを表示する旨の操作入力が受け付けられたか否かの判定が行われる（Ｓ２０７）。
【００６５】
録画リストを表示する旨の操作入力が受け付けられていないと判定された場合（Ｓ２０７でＮＯ）には、処理が待機状態とされる。録画リストを表示する旨の操作入力が受け付けられたと判定された場合（Ｓ２０７でＹＥＳ）には、録画リスト表示部１１３によって、番組情報記憶部１９１に格納された全ての番組情報の一覧表がディスプレイ２１に表示される（Ｓ２０９）。次いで、再生実行部１１４によって、ステップＳ２０９において一覧表として表示された番組情報の中から１の番組情報が再生する番組として選択されたか否かの判定が行われる（Ｓ２１１）。
【００６６】
１の番組情報が再生する番組として選択されていないと判定された場合（Ｓ２１１でＮＯ）には、処理がステップＳ２０９に戻され、ステップＳ２０９以降の処理が繰り返し実行される。１の番組情報が再生する番組として選択されたと判定された場合（Ｓ２１１でＹＥＳ）には、再生実行部１１４によって、ステップＳ２１１で選択された番組情報が番組情報記憶部１９１から読み出されて再生される（Ｓ２１３）。そして、再生実行部１１４によって、番組情報の再生が終了したか否かの判定が行われる（Ｓ２１５）。再生が終了していないと判定された場合（Ｓ２１５でＮＯ）には、処理がステップＳ２１３に戻され、ステップＳ２１３以降の処理が繰り返し実行される。再生が終了したと判定された場合（Ｓ２１５でＹＥＳ）には、表示禁止部１１５によって、特定録画情報が付与された番組情報について一覧表への表示を禁止する旨の設定が行われ（Ｓ２１７）、処理が終了される。
【００６７】
ステップＳ２０１でＮＯの場合、又は、ステップＳ２０３でＮＯの場合には、録画リスト表示部１１３によって、録画リストを表示する旨の操作入力が受け付けられたか否かの判定が行われる（Ｓ２１９）。録画リストを表示する旨の操作入力が受け付けられていないと判定された場合（Ｓ２１９でＮＯ）には、処理がステップＳ２０１に戻され、ステップＳ２０１以降の処理が繰り返し実行される。
【００６８】
録画リストを表示する旨の操作入力が受け付けられたと判定された場合（Ｓ２１９でＹＥＳ）には、録画リスト表示部１１３によって、番組情報記憶部１９１に格納された番組情報の内、特定録画情報が付与された番組情報を除く番組情報の一覧表がディスプレイ２１に表示される（Ｓ２２１）。次いで、再生実行部１１４によって、ステップＳ２２１において一覧表として表示された番組情報の中から１の番組情報が再生する番組として選択されたか否かの判定が行われる（Ｓ２２３）。
【００６９】
１の番組情報が再生する番組として選択されていないと判定された場合（Ｓ２２３でＮＯ）には、処理がステップＳ２２１に戻され、ステップＳ２２１以降の処理が繰り返し実行される。１の番組情報が再生する番組として選択されたと判定された場合（Ｓ２２３でＹＥＳ）には、再生実行部１１４によって、ステップＳ２２３で選択された番組情報が番組情報記憶部１９１から読み出されて再生される（Ｓ２２５）。そして、再生実行部１１４によって、番組情報の再生が終了したか否かの判定が行われる（Ｓ２２７）。再生が終了していないと判定された場合（Ｓ２２７でＮＯ）には、処理がステップＳ２２５に戻され、ステップＳ２２５以降の処理が繰り返し実行される。再生が終了したと判定された場合（Ｓ２２７でＹＥＳ）には、処理が終了される。
【００７０】
このようにして、リモコン３を介してユーザからの予め設定された特定の操作入力が受け付けられ、特定の操作入力が受け付けられた場合に、特定の操作入力による録画である旨の情報である特定録画情報が付与されて、番組情報記憶部１９１に番組情報が格納される。そして、リモコン３を介してユーザからの番組情報の一覧表を表示する旨の操作入力が受け付けられて、番組情報の一覧表を表示する旨の操作入力が受け付けられた場合に、番組情報記憶部１９１に格納された番組情報の一覧表が表示される。また、リモコン３を介してユーザからの操作入力が受け付けられ、受け付けられた操作入力に基づいて、一覧表に表示された番組情報の中から１の番組情報が選択されて再生され、ディスプレイ２１に表示される。ただし、特定録画情報が付与された番組情報については、一覧表への表示が禁止されるため、番組情報を秘密管理された個人情報として格納することができる。
【００７１】
すなわち、特定の操作入力が受け付けられた場合に、特定録画情報が付与されて、番組情報記憶部１９１に番組情報が格納され、特定録画情報が付与された番組情報については、番組情報記憶部１９１に格納された番組情報の一覧表への表示が禁止されるため、特定録画情報が付与された番組情報については、番組情報記憶部１９１に格納されていることさえ知ることができないので、視聴することも消去することもできず、番組情報を秘密管理された個人情報として格納することができるのである。
【００７２】
また、特定の操作入力が、リモコン３での、録画を指示する場合に押下される録画キー３３と、予め設定された他のキー（ここでは、テンキー３１の内、数字「７」に対応するテンキー３１１）と、を同時に押下する操作入力であるため、簡便な操作で番組情報を秘密管理された個人情報として格納することができると共に、誤操作等によって番組情報が秘密管理された個人情報とされることを防止することができる。
【００７３】
更に、予め設定された個人を識別する情報である個人識別情報が識別情報記憶部１９２に格納されており、リモコン３を介してユーザから個人識別情報の入力が受け付けられ、受け付けられた個人識別情報が識別情報記憶部１９２に格納された個人識別情報と一致するか否かが判定される。そして、一致すると判定された場合に、一覧表への表示の禁止が解除されるため、番組情報を秘密管理された個人情報として格納することができる。
【００７４】
すなわち、受け付けられた個人識別情報が識別情報記憶部１９２に格納された個人識別情報と一致すると判定された場合に、一覧表への表示の禁止が解除されるため、特定録画情報が付与された番組情報を番組情報記憶部１９１に格納したユーザが、個人識別情報を入力することによって、特定録画情報が付与された番組情報を視聴、編集等の利用をすることができるので、番組情報を秘密管理された個人情報として格納することができるのである。
【００７５】
加えて、一覧表への表示の禁止が解除されて、特定録画情報が付与された番組情報の再生が終了した場合に、再度、一覧表への表示が禁止される（図５に示すフローチャートのステップＳ２１７参照）ため、番組情報を更に確実に秘密管理された個人情報として格納することができる。
【００７６】
すなわち、一覧表への表示の禁止が解除された場合であっても、特定録画情報が付与された番組情報の再生が終了した場合には、再度、一覧表への表示が禁止されるため、ユーザが一覧表への表示を禁止することを忘れている場合であっても、特定録画情報が付与された番組情報が一覧表に表示されることを確実に防止することができるので、番組情報を更に確実に秘密管理された個人情報として格納することができるのである。
【００７７】
なお、本発明は、以下の形態にも適用可能である。
（Ａ）本実施形態では、放送記録再生装置が、ＨＤＤレコーダ１である場合について説明したが、放送記録再生装置が、テレビジョン放送を受信し、受信した番組情報を記録媒体に格納すると共に、格納された番組情報を再生してモニタに表示する装置であればよい。例えば、放送記録再生装置が、ＤＶＤレコーダである形態でもよい。
【００７８】
（Ｂ）本実施形態では、ＭＰＵ１１が、通常録画実行部１１１、特定録画実行部１１２、録画リスト表示部１１３、再生実行部１１４、表示禁止部１１５、判定部１１６、及び、禁止解除部１１７として機能する場合について説明したが、少なくとも１の機能部が回路等のハードウェアによって実現されている形態でもよい。
【００７９】
（Ｃ）本実施形態では、特定の操作入力が、リモコン３の録画キー３３及びテンキー３１１が同時に押下する操作入力である場合について説明したが、その他の予め設定された特定の操作入力である形態でもよい。例えば、リモコン３に隠しキー（＝外部からは視認できない位置に配設されたキー）が配設されており、特定の操作入力が、隠しキーを押下する操作入力である形態でもよい。
【００８０】
（Ｄ）本実施形態では、個人識別情報が暗証番号情報である場合について説明したが、個人識別情報がその他の個人を識別する情報である形態でもよい。例えば、指紋情報、網膜情報等の個体識別情報である形態でもよい。この場合には、番組情報を更に確実に秘密管理された個人情報として格納することができる。
【図面の簡単な説明】
【００８１】
【図１】は、本発明に係るＨＤＤレコーダの構成の一例を示すブロック図である。
【図２】は、リモコンの外観の一例を示す正面図である。
【図３】は、本発明に係るＨＤＤレコーダにおける主要部の構成の一例を示す機能構成図である。
【図４】は、ＨＤＤレコーダ（主にＭＰＵ）の録画動作の一例を示すフローチャートである。
【図５】は、ＨＤＤレコーダ（主にＭＰＵ）の再生動作の一例を示すフローチャートである。
【符号の説明】
【００８２】
１    ＨＤＤレコーダ（放送記録再生装置）
１１    ＭＰＵ
１１１    通常録画実行部
１１２    特定録画実行部（特定録画実行手段の一部）
１１３    録画リスト表示部（録画リスト表示手段の一部）
１１４    再生実行部（再生実行手段の一部）
１１５    表示禁止部（表示禁止手段）
１１６    判定部（判定手段の一部）
１１７    禁止解除部（禁止解除手段）
１２    ＲＡＭ
１９    ＨＤＤ
１９１    番組情報記憶部
１９２    識別情報記憶部（識別情報記憶手段）
１５    受信部（特定録画実行手段の一部）
２    出力装置
２１    ディスプレイ（モニタ）
３    リモコン（特定録画実行手段の一部、録画リスト表示手段の一部、再生実行手段の一部、判定手段の一部）
３１    テンキー
３２    メニューキー
３３    録画キー
３４    プレイキー
３５    ストップキー
【図１】
2008211648.tif 000003
【図２】
2008211648.tif 000004
【図３】
2008211648.tif 000005
【図４】
2008211648.tif 000006
【図５】
2008211648.tif 000007